(57)【特許請求の範囲】
【請求項１】
着用者の陰部及び肛門部を被覆し、前方に凸に湾曲した縦長の曲面構造を有する受け部と、前記受け部の周縁に着脱自在に装着された環状のシール部材と、該受け部の下部から一体に突設されて、前下方に向けてエルボ型に湾曲した排泄物誘導管と、前記排泄物誘導管の先端に接続されて、排泄物を外部に排出する軟質素材より成る排泄物排出管とを備え、前記シール部材は、その圧接端の内周に、可撓性を有すると共に、内方へ張り出し、且つ、先端部が基部よりも肉薄のフランジを形成し、該フランジの内部に、強い圧力を受けると変形してその形状を維持する補強材を、周方向に沿って埋設した排泄物処理装置。
【請求項２】
前記受け部は軟質素材より成り、前記排泄物誘導管は硬質素材より成る請求項１に記載の排泄物処理装置。
【請求項３】
前記受け部及び排泄物誘導管が軟質素材より成り、前記排泄物誘導管の壁面に硬質の中空管を装着した請求項１に記載の排泄物処理装置。
【発明の詳細な説明】
【技術分野】
【０００１】
本発明は、病人、寝たきり老人等の排泄物を、身体から直接外部へ排出する排泄物処理装置に関する。
【背景技術】
【０００２】
従来、寝たきり老人や手術後の病人の排泄物を処理するには、紙おむつ等を用いることが多かった。
しかし、濡れて汚れた紙おむつでは使用者に不快感を与え、紙おむつを頻繁に交換するために、介護者へ大きな負担がかかっていた。しかも、近年、ゴミの燃焼処理等によって発生する環境汚染が問題となっており、大量の紙おむつを廃棄するのが困難になりつつある。
【０００３】
そこで、オムツカップ本体に洗浄水送水ホース及び汚物吸引ホースを接続し、オムツカップ内の汚物を洗浄水で洗浄し、汚物吸引ホースから自動的に吸引排出できるようにした排泄物処理装置が提案されている（特許文献１参照）。
しかし、このものは、オムツカップの下部に汚物吸引ホースの狭い開口端部が直接接続され、汚物を水平方向に排出するので汚物が詰まりやすく、また、着用者の臀部が水平な腰板の上に載るため、着用者が身動きできず、腰が曲がった老人は着用することができない。
【０００４】
また、パンティー部と、二つの開口部を有し、パンティー部に取り付けられる押圧チューブと、押圧チューブの開口部に取り付けられ、水・空気供給口、排出口、モータファン、水検知センサを有する排出装置とを備えた便及び尿排出装置（特許文献２参照）、及び、大便排出孔を有し、大便用ポリ袋を装着した臀部サポータと、導尿管の先端に小便用ポリ袋を装着した下腹部サポータを装着ベルトに取り付けたサポータを備えた装着式ディスポーザブル＆ウォッシャブルトイレ（特許文献３参照）が提案されている。
ところが、これらのものも、便を横方向に排出しているため、詰まりやすいという欠点がある。
【０００５】
さらに、便受けカップと、尿受けカップと、便受けカップ内に排出された便を外部に排出する便排出装置と、尿受けカップ内に排出された尿を外部に排出する尿排出装置とを備え、便受けカップと尿受けカップを分離可能とした排泄物処理装置が公知である（特許文献４参照）。
この排泄物処理装置では、便受けカップの仕切り板に排便管の端部が直接接続され、汚物を水平方向に排出するようになっているため、便が詰まりやすい。
【０００６】
【特許文献１】特開平８−３２２８６８号公報
【特許文献２】特開平６−５４８７４号公報
【特許文献３】特開平１１−３４９号公報
【特許文献４】特開２００３−１５３９３１公報
【発明の開示】
【発明が解決しようとする課題】
【０００７】
本発明が解決しようとする課題は、排泄物が下方に向けてスムーズに誘導されて詰まりにくく、着脱しやすい排泄物排出装置を提供することにある。
【課題を解決するための手段】
【０００８】
本発明の排泄物処理装置は、着用者の陰部及び肛門部を被覆し、前方に凸に湾曲した縦長の曲面構造を有する受け部と、前記受け部の周縁に着脱自在に装着された環状のシール部材と、該受け部の下部から一体に突設されて、前下方に向けてエルボ型に湾曲した排泄物誘導管と、前記排泄物誘導管の先端に接続されて、排泄物を外部に排出する軟質素材より成る排泄物排出管とを備え、前記シール部材は、その圧接端の内周に、可撓性を有すると共に、内方へ張り出し、且つ、先端部が基部よりも肉薄のフランジを形成し、該フランジの内部に、強い圧力を受けると変形してその形状を維持する補強材を、周方向に沿って埋設してある。
前記受け部は軟質素材より成り、前記排泄物誘導管は硬質素材より成ることがある。
或いは、前記受け部及び排泄物誘導管が軟質素材より成り、前記排泄物誘導管の壁面に硬質の中空管を装着しても良い。
【発明の効果】
【０００９】
請求項１に係る発明によれば、排泄物誘導管がエルボ型に湾曲しているので、これに連結された排泄物排出管が潰れにくく、また、排泄物が下方に落下してスムーズに誘導されるため、詰まり難い。
単一の受け部によって陰部及び肛門部を被覆するので、簡単に着脱できる。
さらに、補強材は強い圧力を受けると変形して、フランジの形状を着用者の身体に密着した形状に維持するので、補強効果があるだけでなく、シール部材の圧接端からの液漏れを防ぐことができる。
請求項２及び請求項３に係る発明によれば、身体に装着される受け部が軟質なので着用感が良好であり、しかも、排泄物誘導管が硬質であるため、変形して排泄物が詰まるのを防止できる。
【発明を実施するための最良の形態】
【００１０】
図１乃至図１３は、本発明の実施例１を示す。
排泄物処理装置は、図１乃至図３に示すように、着用者の陰部及び肛門部を被覆する受け部１と、受け部１の下部から前下方に向けて一体に突設された排泄物誘導管２と、受け部１の周縁に装着されて、着用者の陰部及び肛門部の周囲に圧接されるシール部材３と、一端が排泄物誘導管２の先端に接続されて、排泄物を外部に排出する排泄物排出管４と、排泄物排出管４の他端に、取付部５を介して連結された連結管６と、取付部５内に設置された粉砕圧送ポンプ（図示せず）とを備える。
【００１１】
受け部１は、軟質ゴム、軟質プラスチック等の軟質素材より成り、図４乃至図８に示すように、前方へ凸に湾曲した縦長の曲面構造を有する。受け部１の中間部、即ち、陰部を被覆する部分と肛門部を被覆する部分との間は、その上下部よりもやや幅狭く形成される（図６）。
また、受け部１の周縁に沿って、シール部材３を取り付けるための薄肉部７が形成されている（図４）。
図１乃至図３に示すように、受け部１の上部両側及び下部には、それぞれ接続紐８の一端部を取り付けると共に、接続紐８の他端部に粘着シート９を装着してある。
粘着シート９は柔軟性のある素材より成り、その身体接触面にはポリウレタンゲル等の粘着性を有する物質が付着され、粘着シート９を着用者の身体に貼着することにより、排泄物処理装置を装着するようになっている。
【００１２】
排泄物誘導管２は、硬質ゴム、硬質プラスチック等の受け部１よりも硬質の素材より成り、前方に凸に湾曲したエルボ型を呈する。
排泄物誘導管２の先端部外周には周方向に沿って係止溝１０が形成される。
排泄物誘導管２の壁の内部には、図示しないが、静電容量、ＣＣＤ画像等により便の通過を感知する多数のセンサが設置されている。
【００１３】
排泄物誘導管２の壁内には、複数の水噴出口１１を有する洗浄水供給パイプがそれぞれ埋設され、これら水噴出口１１が便誘導管４の内周面一端寄りにおいて離れた位置に配置されている（図４乃至図６）。
複数の水噴出口１１からの水噴出方向は、周方向より他端に向けて同じ方向に傾斜しており、センサが便の通過を検知すると水噴出口１１から、温水より成る洗浄水、或いは必要に応じて洗剤又はタンパク質、脂肪等を分解する消化酵素等を含有した洗浄水が噴出し、複数の水噴出口１１から噴出した洗浄水は、排泄物誘導管２の内周を、異なる経路を通って螺旋状に流れるようになっている。
なお、水噴出口１１は、洗浄水が排泄物誘導管２の内面を軸方向に沿って流れる方向に設置しても良い。
【００１４】
シール部材３は、軟質プラスチック等を素材とする環状の軟質部材であり、図１０及び図１１に示すように、受け部１の周縁の形状に対応した形状に形成される。
図９に示すように、シール部材３は、その断面においてジグザグの襞状に屈曲しており、この襞によって、シール部材３を圧接した時の身体接触面へ加わる圧力が均一化される。また、襞を形成したことによる内面の凹凸は、身体への装着圧力で押しつぶされるので、排泄物が引っかかって付着することはない。
シール部材３の、受け部１に対する連結端には筒部１２が一体に形成され、筒部１２が受け部１に形成された薄肉部７の外周面に着脱可能に係合されるようになっている。
【００１５】
シール部材３の圧接端の内周に、可撓性を有すると共に、内方に張り出し、且つ、先端部が基部よりも肉薄のフランジ１３をそれぞれ形成し、フランジ１３の内部に周方向に沿って針金より成る補強材を埋設してある。
フランジ１３は着用者の身体に密着し、針金は強い圧力を受けると変形して、フランジ１３の形状を着用者の身体に密着した形状に維持するので、シール部材３の圧接端からの液漏れを防ぐことができる。
なお、フランジ１３に埋設する補強材としては、板金を用いることもできる。
【００１６】
排泄物排出管４は、軟質発泡ポリウレタン等の可撓性を有する軟質プラスチックを素材とし、その内周面は塗料をコーティングするなどして平滑に形成される。
また、図１２乃至図１４に示すように、排泄物排出管４の外周面又は壁内には補強線材１４が形成され、折れ曲がって閉塞しないようになっている。
また、排泄物排出管４の一端は、係止溝１０に係合することにより、排泄物誘導管２の先端に周方向に回動自在に接合される。
【００１７】
排泄物排出管４の他端は、図１乃至図３に示すように、連結管６の基部に設けた取付部５に対して周方向に回動自在に接続されている。排泄物排出管４は軟質素材より成るので、取付部５の位置等に応じて変形することができる。
連結管６は、フロア等に固定され、その先端は下水道、トイレ等に接続される。
取付部５内には粉砕圧送ポンプが設置される。粉砕圧送ポンプは、その出口側に十文字に組み合わせたピアノ線等のカッタ機構を有し、ポンプ自体の吐き出し圧力とカッタ機構とによって、排泄物を粉砕するようになっている。
【００１８】
着用者が排泄すると、排泄物誘導管２に設置されたセンサが排泄物を感知して、水噴出口１１から洗浄水が噴出し、排泄物を洗浄する。
排泄物誘導管２はエルボ型に湾曲しているので、排泄物はスムーズに排泄物排出管４に誘導され、さらに、取付部５内で粉砕圧送ポンプにより粉砕され、連結管６を通して下水道等に排出される。
また、受け部１に、着用者の陰部及び肛門へ温水を吹き付けるノズルを設置することもできる。
【００１９】
図１５は、実施例２を示す。
排泄物排出管２を、軟質素材によって受け部１と一体に形成し、排泄物誘導管２の壁面に硬質プラスチック等の硬質素材より成る中空管１５を装着してある。
中空管１５は、排泄物誘導管２の壁面に埋設してもよいし、或いは、壁面内面にラミネートしても良い。
その他の構成は、実施例１とほぼ同様なので、同一部分に同一符号を付して詳細な説明を省略する。
【図面の簡単な説明】
【００２０】
【図１】実施例１を示す着用状態の排泄物処理装置を下方から観た斜視図。
【図２】実施例１を示す着用状態の排泄物処理装置を上方から観た斜視図。
【図３】実施例１を示す着用状態の排泄物処理装置の側面図。
【図４】実施例１に係る受け部の断面図。
【図５】実施例１に係る受け部の斜視図。
【図６】実施例１に係る受け部の裏面図。
【図７】実施例１に係る受け部の平面図。
【図８】実施例１に係る受け部の側面図。
【図９】シール部材の要部斜視図。
【図１０】シール部材の斜視図。
【図１１】シール部材の裏面図。
【図１２】排泄物処理装置の要部斜視図。
【図１３】排泄物処理装置の要部裏面図。
【図１４】排泄物処理装置の側面図。
【図１５】実施例２に係る受け部の側面図。
【符号の説明】
【００２１】
１  受け部
２  排泄物誘導管
３  シール部材
４  排泄物排出管
５  取付部
６  連結管
７  薄肉部
８  接続紐
９  粘着シート
１０  係止溝
１１  水噴出口
１２  筒部
１３  フランジ
１４  補強線材
１５  中空管
【要約】
【課題】  排泄物が下方に向けてスムーズに誘導されて詰まりにくく、着脱しやすい排泄物排出装置を提供すること。
【解決手段】  着用者の陰部及び肛門部を被覆する受け部１と、受け部１の下部から前下方に向けて一体に突設されて、エルボ型に湾曲した排泄物誘導管２と、受け部１の周縁に装着されて、着用者の陰部及び肛門部の周囲に圧接されるシール部材３と、排泄物誘導管２の先端に接続されて、排泄物を外部に排出する軟質素材より成る排泄物排出管４とを備える。
【選択図】          図１
【図１】
0003574808.tif 000002
【図２】
0003574808.tif 000003
【図３】
0003574808.tif 000004
【図４】
0003574808.tif 000005
【図５】
0003574808.tif 000006
【図６】
0003574808.tif 000007
【図７】
0003574808.tif 000008
【図８】
0003574808.tif 000009
【図９】
0003574808.tif 000010
【図１０】
0003574808.tif 000011
【図１１】
0003574808.tif 000012
【図１２】
0003574808.tif 000013
【図１３】
0003574808.tif 000014
【図１４】
0003574808.tif 000015
【図１５】
0003574808.tif 000016